(57)【要約】【課題】  機械的な硬さを感じることない良好な体感のマッサージを受けることができるマッサージ機を提供する。【解決手段】  揉みモータ71によって回転する揉み軸72に傾斜した状態で取り付けられる一対の施療指40,40を具え、該施療指40,40は、揉み軸72に枢支されるアーム５と、該アーム５の先端に枢軸51によって枢支されるレバー60と、レバー60の先端に配備された揉み玉41を有してなるマッサージユニット30を具えた椅子型マッサージ機において、レバー60は、揉み玉41が前方にせり出す方向に、アーム５にバネにより付勢されており、該バネは、トーションバネ47であって、該トーションバネ47の巻回部48は、枢軸51に嵌まっており、トーションバネ47の一方の端部をアーム５に取り付け、他方の端部47bをレバー60に取り付けたものである。【選択図】      図６
2006230854.tif 000002
【特許請求の範囲】
【請求項１】
揉みモータ(71)によって回転する揉み軸(72)に傾斜した状態で取り付けられる一対の施療指(40)(40)を具え、該施療指(40)(40)は、揉み軸(72)に枢支されるアーム(５)と、該アーム(５)の先端に枢軸(51)によって枢支されるレバー(60)と、レバー(60)の先端に配備された揉み玉(41)を有してなるマッサージユニット(30)を具えた椅子型マッサージ機において、
レバー(60)は、揉み玉(41)が前方にせり出す方向に、アーム(５)にバネにより付勢されており、
該バネは、トーションバネ(47)であって、該トーションバネ(47)の巻回部(48)は、枢軸(51)に嵌まっており、トーションバネ(47)の一方の端部はアーム(５)に取り付けられ、他方の端部(47b)はレバー(60)に取り付けられていることを特徴とするマッサージ機。
【請求項２】
レバー(60)には、レバー(60)の回動を規制する当たり片(61)が突設されており、トーションバネ(47)の前記他方の端部(47b)は、当たり片(61)に引っ掛けられている請求項１に記載のマッサージ機。
【請求項３】
レバー(60)は、略中央がくの字型に屈曲しており、上下両端に揉み玉(41)(42)を具え、レバー(60)の屈曲部分で、枢軸(51)によりアーム(５)に枢支されている請求項１又は請求項２に記載のマッサージ機。
【請求項４】
アーム(５)は、レバー(60)と平行な面内で摺接可能な第１アーム(50)と第２アーム(57)から構成される請求項１乃至請求項３の何れかに記載のマッサージ機。
【請求項５】
揉みモータ(71)によって回転する揉み軸(72)に傾斜した状態で取り付けられる一対の施療指(40)(40)を具え、該施療指(40)(40)は、揉み軸(72)に枢支されるアーム(５)と、該アーム(５)の先端に枢軸(51)によって枢支されるレバー(60)と、レバー(60)の先端に配備された揉み玉(41)を有してなるマッサージユニット(30)を具えた椅子型マッサージ機において、
アーム(５)は、レバー(60)と平行な面内で摺接可能な第１アーム(50)と第２アーム(57)から構成されることを特徴とするマッサージ機。
【請求項６】
揉みモータ(71)によって回転する揉み軸(72)に傾斜した状態で取り付けられる一対の施療指(40)(40)を具え、該施療指(40)(40)は、揉み軸(72)に枢支されるアーム(５)と、該アーム(５)の先端に枢軸(51)によって枢支されるレバー(60)と、レバー(60)の先端に配備された揉み玉(41)を有してなるマッサージユニット(30)を具えた椅子型マッサージ機において、
レバー(60)又はアーム(５)の一方には、レバー(60)とアーム(５)の対向面内にて、他方に向けて制動突起(110)が突設されており、該制動突起(110)が、他方に接触して、アーム(５)に対するレバー(60)の回動を制動するようにしたことを特徴とするマッサージ機。
【発明の詳細な説明】
【技術分野】
【０００１】
本発明は、揉み玉により被施療者に揉みマッサージや叩きマッサージを施すマッサージ機の改良に関するものである。
【背景技術】
【０００２】
従来、被施療者の肩、腰等の患部にマッサージを施す椅子型やベッド型のマッサージ機が知られている。このようなマッサージ機として、例えば、特許文献１では、被施療者の背中が当る背当り部に上下に揉み玉を具える左右一対の施療指を配備したマッサージユニットを搭載し、背当り部及びマッサージユニットを覆うように可撓性カバーを掛けて構成している。
上記マッサージ機では、施療指を前後を含む上下方向や横方向に往復移動させて、揉み玉により患部の叩きマッサージや揉みマッサージを行なったり、マッサージユニットを背当り部の長手方向に往復移動させて、首筋から腰方向へローリングマッサージを行なうことができる。
施療指は、揉み軸に傾斜して枢支されたアームに回動可能なレバーを枢支し、レバーの上下に揉み玉を具えて構成されている。施療効果を高めるには、揉み玉、特に上側の揉み玉を背当り部から前方にせり出すようにして、患部に当たりやすくすることが望まれる。そこで、特許文献１では、アームの側面とレバーの側面との間にコイルバネを配置し、アームに対してレバーの上側を前方に押し出すように付勢している。また、アームは、強度を具備する必要があるため、一般的に金属板から構成されている。
【０００３】
【特許文献１】特開平１０−９９３９２号公報
【発明の開示】
【発明が解決しようとする課題】
【０００４】
レバーをアームに対して付勢するコイルバネは、施療指の側面に露出しているため、背当り部を覆うカバーにバネが擦れて、カバーが傷んでしまうことがあった。
【０００５】
また、アームは金属板から構成されるが、揉みマッサージの際には、揉み玉には被施療者からの反力Ｆが図６中矢印方向に強く加わる(なお、図６は本発明の一実施例を示す図面である)。この力Ｆは、レバーを介してアームに作用し、アームを外向きに屈曲させるため、アームには強度が要求される。アームの強度を高めるために、アームを２枚の金属板から構成し、２枚のアームをスポット溶接等により固定して強度を高めたものも提案されているが、溶接部分に応力が集中して、強度上脆くなりやすく、また、アームの柔軟性が損なわれてしまい、被施療者がマッサージの際に機械的な硬さを感ずるという問題があった。
【０００６】
本発明の目的は、機械的な硬さを感じることない良好な体感のマッサージを受けることができるマッサージ機を提供することである。また、レバーをアームに対して付勢するバネにより、背当り部を覆うカバーを傷つけることのないマッサージ機を提供することである。
【課題を解決するための手段】
【０００７】
上記課題を解決するために、本発明のマッサージ機は、
揉みモータによって回転する揉み軸に傾斜した状態で取り付けられる一対の施療指を具え、該施療指は、揉み軸に枢支されるアームと、該アームの先端に枢軸によって枢支されるレバーと、レバーの先端に配備された揉み玉を有してなるマッサージユニットを具えた椅子型マッサージ機において、
レバーは、揉み玉が前方にせり出す方向に、アームにバネにより付勢されており、
該バネは、トーションバネであって、該トーションバネの巻回部は、枢軸に嵌まっており、トーションバネの一方の端部をアームに取り付け、他方の端部をレバーに取り付けたものである。
【０００８】
また、本発明のマッサージ機は、
揉みモータによって回転する揉み軸に傾斜した状態で取り付けられる一対の施療指を具え、該施療指は、揉み軸に枢支されるアームと、該アームの先端に枢軸によって枢支されるレバーと、レバーの先端に配備された揉み玉を有してなるマッサージユニットを具えた椅子型マッサージ機において、
アームは、レバーと平行な面内で摺接可能な第１アームと第２アームから構成したものである。
【発明の効果】
【０００９】
本発明のマッサージ機によれば、レバーは、トーションバネによって、揉み玉が前方にせり出すようにアームに付勢されている。トーションバネは、アームとレバーを枢支する枢軸に巻回部が嵌まっており、巻回部が施療指の外側に飛び出ていないので、背当り部を覆うカバー等に巻回部が擦れることなく、カバーを傷めることはない。
【００１０】
本発明のマッサージ機によれば、第１アームと第２アームとを固定せずに摺接可能としているので、アームに対して垂直方向の力が作用したときに第１アームと第２アームは夫々自由に撓むことができ、第１アームと第２アームとの間に応力集中が生じない。
従って、アームは適度な柔軟性を具備しつつ、強度を高めることができ、マッサージの際に被施療者が機械的な硬さを感じることもなく、効果的なマッサージを受けることができる。
【発明を実施するための最良の形態】
【００１１】
本発明を椅子型のマッサージ機(10)に適用した例について説明する。なお、本発明は、椅子型に限定されることなく、例えば、ベッド型のマッサージ機、更には介護用ベッドなどにも適用することができる。
【００１２】
＜構造説明＞
マッサージ機(10)の椅子は、図１に示すように、被施療者の腰掛ける座部(11)と、該座部(11)の後端から上向きに形成された背当り部(12)、座部(11)の左右両側に上向きに形成された肘掛け部(14)とから構成される。座部(11)、背当り部(12)、肘掛け部(14)は、夫々内部に金属製のパイプ、フレーム又はプレート等を連結して形成され、外周は、当て布等の可撓性カバー(13)やクッションにて包囲される。
【００１３】
背当り部(12)の内部には、図１に示すように、上部及び下部に夫々上フレーム(16)と下フレーム(17)を具えており、上下のフレーム(16)(17)の左右両端部は、上下方向に平行に伸びる左右一対のガイドレール(18)にて連結されている。ガイドレール(18)の上端は、上フレーム(16)を越えて上方へ伸びており、ガイドレール(18)の先端には、被施療者の頭部が当る頭当て部(15)が取り付けられている。ガイドレール(18)の下部は、座部(11)を形成するフレームに枢支される。また、下フレーム(17)には、公知のリクライニング機構(19)に連結され、背当り部(12)は、座部(11)に対して揺動可能となっている。
左右のガイドレール(18)は、断面形状がコ字状であって、溝が対向するように配置され、該ガイドレール(18)に沿ってマッサージユニット(30)が昇降可能に取り付けられている。
【００１４】
背当り部(12)の内部には、ガイドレール(18)と平行に枢支されたネジ軸(22)と、該ネジ軸(22)を回転させる昇降モータ(21)からなる昇降手段(20)が配備されている。ネジ軸(22)の下端にはプーリ(23)を具え、昇降モータ(21)の回転軸とベルトを介して連繋されており、昇降モータ(21)を駆動すると、ネジ軸(22)が正回転又は逆回転を行なう。
【００１５】
マッサージユニット(30)は、図１に示すように、シャーシ(90)の左右にガイドレール(18)の溝に嵌まるローラ(31)(31)(31)が夫々左右に複数軸支された状態でガイドレール(18)に取り付けられている。シャーシ(90)には、ネジ軸(22)に螺合するネジ筒(35)(図１参照)を有しており、ネジ軸(22)の回転により、マッサージユニット(30)がネジ推力によって背当り部(12)内をガイドレール(18)に沿って昇降する。
【００１６】
図２は、マッサージユニット(30)を斜め前方から見た斜視図、図３及び図４は、マッサージユニット(30)を斜め後方から見た斜視図であって、図４は、シャーシ(90)の一部及び叩き手段(80)の一部を取り外した状態を示している。
マッサージユニット(30)は、図２乃至図４に示すように、シャーシ(90)上に施療指(40)(40)と、該施療指(40)(40)を作動させる揉み手段(70)及び叩き手段(80)を搭載している。
シャーシ(90)は、複数の屈曲した金属板(91)(93)(94)をネジ止めやスポット溶接等することによって接続して構成される。
シャーシ(90)の前側金属板(91)は、中央に施療指(40)(40)が突出するための開口(92)が開設されている。前側金属板(91)の左右両端は、後方に向けて屈曲しており、複数のローラ(31)(31)(31)が軸支されている。
また、前側金属板(91)の後面には、揉み手段(70)及び叩き手段(80)を支持する取付板(93)(94)が間隔をあけて突設されている。
上述のネジ筒(35)は、前側金属板(91)の下端を後方に屈曲させて形成された底板に取り付けられている(なお、図２乃至４にはネジ筒は示していない)
【００１７】
揉み手段(70)は、施療指(40)(40)が枢支される揉み軸(72)、揉み軸(72)を回転させる揉みモータ(71)及び揉みモータ(71)から揉み軸(72)に動力を伝達するベルト(78)等の減速手段と、を具える。
揉み軸(72)は、シャーシ(90)の取付板(93)(94)に軸支される。揉み軸(72)には、図３乃至図６に示すように、施療指(40)(40)を互いに対称的に傾斜して枢支するカム体(73)(73)が固定されており、揉み軸(72)の一端には、図４に示すように、ウォームホイール(75)が取り付けられている。ウォームホイール(75)は、一方の取付板(93)に設けられたギアボックス(95)内のウォーム(76)と噛合し、ウォーム軸(76a)の上端に嵌められたプーリ(77)がベルト(78)を介して他方の取付板(94)に固定された揉みモータ(71)のプーリ(79)と連繋され、揉みモータ(71)の回転力が揉み軸(72)に伝達される。
【００１８】
図示の揉み手段(70)の減速手段では、図４に示すように、ウォーム軸(76a)を支持するギアボックス(95)は、シャーシ(90)の金属板、具体的には、取付板(93)の一部に軸孔(96a)(96b)を開設し、曲げ加工によって取付板(93)を屈曲することによって製作している(図１２参照)。なお、取付板(93)へのギアボックス(95)の形成については後述する。
【００１９】
叩き手段(80)は、揉み軸(72)の下方に配備された叩き軸(82)と、叩き軸(82)を回転させる叩きモータ(81)及び叩きモータ(81)から叩き軸(82)に動力を伝達するベルト(85)等の減速手段と、を具える。
叩き軸(82)は、シャーシ(90)の取付板(93)(94)に軸支されており、叩き軸(82)と施療指(40)(40)は、連結杆(45)(45)によって連繋されている。連結杆(45)(45)は、一端が球関節(49)(49)を介して施療指(40)(40)と連繋し、他端が叩き軸(82)にエキセン機構(88)等により位相が１８０°異なった状態で偏心して枢支されている。叩き軸(82)には、図３に示すように、プーリ(84)が嵌まっており、プーリ(84)はベルト(85)を介して取付板(93)に固定された叩きモータ(81)のプーリ(86)と動力伝達可能に連繋されている。
【００２０】
施療指(40)(40)は、図５に示すように、略中央がくの字型に屈曲した板状のレバー(60)の上下両端に各一対の揉み玉(41)(42)を具えており、レバー(60)の屈曲部分は板状のアーム(５)に枢支されている。なお、図５は、図３の左側の施療指(40)の斜視図である。アーム(５)は、揉み軸(72)のカム体(73)に枢支され、揉み軸(72)に対して左右対称に傾斜している。カム体(73)は、揉み軸(72)に対して偏心もしている。アーム(５)の後端は、球関節(49)を介して前記連結杆(45)を接続している。左右の連結杆(45)(45)どうしは、図３に示すように、振動を抑えるためのバネ(46)によって互いに引き合う方向に付勢されている。
【００２１】
図６は、図３の左側の施療指(40)のアーム(５)、レバー(60)及び揉み玉(41)(42)を拡大して示す断面図である。図６に示すように、レバー(60)には、対向する施療指(40)(40)(図３参照)どうしの揉み玉(41)(42)が対向するように配備されており、レバー(60)は、アーム(５)に軸支されて回動可能となっている。アーム(５)は、カム体(73)を介して、揉み軸(72)に傾斜した状態で枢支されている。
【００２２】
アーム(５)は、図６に示すように、内側の第１アーム(50)と外側の第２アーム(57)から構成される。第１アーム(50)と第２アーム(57)は、互いに接着やネジ止め等により固定しておらず、単に面接触した状態であり、レバー(60)に平行な面内で摺接可能となっている。
第１アーム(50)及び第２アーム(57)は、柔軟性を具備するために、夫々樹脂から作製することが望ましい。樹脂として、ＰＯＭ(ポリアセタール、登録商標「ジュラコン」)やナイロン等を例示することができる。
【００２３】
図７及び図８は、図６の左側の施療指(40)の第１アーム(50)を取り出して示す斜視図であって、図７は、第１アーム(50)を右側から見た図、図８は、第１アーム(50)を左側から見た図であり、図８に見える側が第２アーム(57)と対向する側である。第１アーム(50)には、基端側にカム体(73)(図６参照)を介して揉み軸(72)に嵌まるカム取付孔(52)が開設されており、先端内側にトーションバネ(47)の巻回部(48)を収容する環状の凹部(53)が凹設されている。環状凹部(53)の周面には、トーションバネ(47)の一端を固定するバネ止め部(54)が凹設されている。
環状凹部(53)の裏側に、図６及び図８に示すように枢軸(51)が突設されており、該枢軸(51)に第２アーム(57)及びレバー(60)が嵌められている。
枢軸(51)には、図７及び図８に示すように、環状凹部(53)の中央を貫通する２つのビス挿通孔(55)が開設されている。ビス挿通孔(55)には、後述するように、トーションバネ(47)の抜止めと、第２アーム(57)及びレバー(60)の脱落を防止するための抑え板(101)(102)をネジ止めするためのビス(100)(100)が遊嵌した状態で挿通する。
第１アーム(50)は、図６に示すように、樹脂製の第１アーム(50)に所定の柔軟性と強度を具備させるために、基端側から先端側に向けて中央が外側に向けて傾斜して形成することが望ましい。
第１アーム(50)の基端側端部には、図８に示すように、連結杆(45)を連結する球関節(49)の半体となる半球状凹部(49a)が形成されている。
【００２４】
図９及び図１０は、図６の左側の施療指(40)の第２アーム(57)を取り出して示す斜視図であって、図９は、第２アーム(57)を右側から見た図、図１０は、第２アーム(57)を左側から見た図であり、図９に見える側が第１アーム(50)と対向する側である。
第２アーム(57)は、図６、図９及び図１０に示すように、基端側にカム体(73)を介して揉み軸(72)に嵌まるカム取付孔(59)が開設されており、先端に第１アーム(50)の枢軸(51)が嵌まる枢軸挿通孔(58)が開設されている。枢軸挿通孔(58)は、第１アーム(50)の枢軸(51)に遊嵌し、第１アーム(50)と第２アーム(57)が摺接可能となるように、枢軸(51)の直径よりも少し大きい内径を有している。
第２アーム(57)は、図６に示すように、第１アーム(50)と同様、基端側から先端側に向けて中央が外側に向けて傾斜して形成されている。傾斜部分は、第１アーム(50)の傾斜部分とは接触しないようにしている。
第２アーム(57)の基端側端部には、図９に示すように、連結杆(45)を連結するための球関節(49)の半体となる半球状凹部(49b)が形成されている。半球状凹部(49b)は、第１アーム(50)の半球状凹部(49a)と対になって球関節(49)を構成する。
【００２５】
第１アーム(50)と第２アーム(57)は、第１アーム(50)の枢軸(51)に第２アーム(57)枢軸挿通孔(58)が遊嵌し、両アーム(50)(57)の半球状凹部(49a)(49b)からなる球関節(49)により連結杆(45)の先端を挟むようにして、揉み軸(72)に固定されたカム体(73)にカム取付孔(52)(59)を枢支することにより取り付けられる。カム体(73)は、周面が揉み軸(72)の軸心に対して傾斜し且つ偏心した状態で揉み軸(72)に固定されている。
【００２６】
トーションバネ(47)は、図５及び図６に示すように、枢軸(51)の環状凹部(53)に巻回部(48)が収容され、トーションバネ(47)の一方の端部(図示せず)は、第１アーム(50)に形成されたバネ止め部(54)に取り付けられている。トーションバネ(47)の他方の端部(47b)はリング状となっており、該リングを後述するレバー(60)のバネ止め部(62)に引っ掛けることにより、トーションバネ(47)が施療指(40)に取り付けられる。
トーションバネ(47)は、上記のように環状凹部(53)に収容されており、施療指(40)から突出していないので、マッサージ機(10)のカバー(13)に巻回部(48)が引っ掛かったり、擦れることはない。
【００２７】
レバー(60)は、図６に示すように、第１アーム(50)の枢軸(51)に嵌められる。レバー(60)として、図５に示すように、中央が略くの字型に屈曲したものを例示でき、中央の屈曲部分に枢軸(51)に遊嵌する枢軸取付孔(64)が開設されており、レバー(60)の上下先端には、揉み玉(41)(42)が軸支されている。レバー(60)もアーム(５)と同様の樹脂で作製することができる。
レバー(60)には、上記トーションバネ(47)の一端が取り付けられるバネ止め部(62)となると共に、レバー(60)の回動角度を規制する当たり片(61)が形成されている。当たり片(61)は、円柱状であって、レバー(60)とアーム(５)との当たりを和らげるための緩衝用ゴム(63)が嵌まっており、該緩衝用ゴム(63)よりも先端側にトーションバネ(47)の一端(47b)が巻回されている。トーションバネ(47)の先端のリング部分(47b)をバネ止め部(62)に引っ掛けてレバー(60)の上側揉み玉(41)を前方に押し出す方向に付勢している。レバー(60)は、無負荷の状態にて、トーションバネ(47)によって当たり片(61)がアーム(５)に当たった状態となっている(図５の状態)。
上記のように、トーションバネ(47)の一端(47b)を環状にしてレバー(60)の当たり片(61)に嵌めて、当たり片(61)がバネ止め部(62)を兼ねることにより、緩衝用ゴム(63)は、一端(47b)で抜止めされ、別途抜止めを不要とすることができ、部品形状の簡略化、部品点数の削減を図ることができる。
レバー(60)は、図６に示すように、枢軸取付孔(64)が第１アーム(50)の枢軸(51)に嵌まり、両側から円盤状の抑え板(101)(102)で各部材が脱落しないようにビス(100)(100)止めされる。ビス(100)(100)の頭部に近い側の抑え板(101)にはネジ山が切られていないビス挿通孔(101a)(101a)が開設されており、ビス(100)の先端側の抑え板(102)には、ネジ山の切られたビス孔(102a)(102a)が開設されている。枢軸(51)に第２アーム(57)、レバー(60)を嵌め、両側から抑え板(101)(102)で枢軸(51)を挟んだ状態で、ビス(100)止めすることによって、第１アーム(50)に第２アーム(57)及びレバー(60)が取り付けられる。
【００２８】
レバー(60)の上下端に取り付けられる揉み玉(41)(42)は、外形が樹脂製の扁平球体であって、レバー(60)に軸支されている。図６では、上側の揉み玉(41)を断面して示しており、レバー(60)先端に突設された支持軸(65)に回転可能に嵌まっている。
【００２９】
上記構成のマッサージユニット(30)を搭載したマッサージ機(10)のマッサージ動作を例示する。
＜揉みマッサージ＞
施療指(40)(40)は、揉み軸(72)に夫々傾斜した状態で枢支されており、アーム(５)(５)は連結杆(45)(45)に夫々接続されて回転が阻止されているから、揉みモータ(71)を駆動し、揉み軸(72)を回転すると、左右の揉み玉(41)(42)が楕円状の軌道を描きつつ、接近、離間を繰り返しながら往復移動して、揉み動作を行なう。
【００３０】
揉みマッサージを行なう際に、被施療者の患部から施療指(40)(40)の揉み玉(41)(42)は、図５及び図６の矢印Ｆ方向の反力を受ける。上側の揉み玉(41)はトーションバネ(47)によって前方にせり出すように付勢されているから、下側の揉み玉(42)に比べて大きな反力Ｆを受ける。
揉み玉(41)(42)、特に上側の揉み玉(41)に加えられた反力Ｆは、レバー(60)を通じて、アーム(５)に伝達される。
本願発明では、図６に示すように、アーム(５)を第１アーム(50)と第２アーム(57)から構成し、第１アーム(50)と第２アーム(57)を直接固定せずに、摺接可能としているので、第１アーム(50)と第２アーム(57)は、摺接しつつ夫々が反力を受けて屈曲するから、応力が分散され、第１アーム(50)と第２アーム(57)どうしの間には、応力が発生しない。
従って、反力Ｆを受けたときに、第１アーム(50)と第２アーム(57)の夫々の柔軟性及び強度を損なうことなく撓むことができ、機械的な硬さを感じたり、柔らかすぎると感ずることなく、良好な体感の揉みマッサージを長期に亘って安定して提供することができる。
【００３１】
＜叩きマッサージ＞
叩きモータ(81)を駆動し、叩き軸(82)を回転すると、叩き軸(82)に偏心して連繋された連結杆(45)(45)を介して、施療指(40)(40)が上下方向(前後方向も含む)に往復移動して、叩き動作を行なう。
【００３２】
レバー(60)は、図５及び図６に示すように、第１アーム(50)にトーションバネ(47)によって、上側の揉み玉(41)が前方にせり出すように付勢されており、叩きマッサージを行なう際に、揉み玉(41)は、被施療者の患部から、図５の矢印Ｆ’方向の力を受ける。
このとき、レバー(60)は、トーションバネ(47)の付勢力によって適度な強さでアーム(５)に対して回転し、揉み玉(41)の突出量が変化するので、機械的な硬さを感じることなく、良好な体感の叩きマッサージを施すことができる。
【００３３】
＜その他のマッサージ＞
また、揉みモータ(71)と叩きモータ(81)を同時に駆動すると、揉み動作と叩き動作を複合したマッサージを施すことができる。複合マッサージにおいても、アーム(５)を第１アーム(50)と第２アーム(57)から構成したこと、また、レバー(60)がトーションバネ(47)によって第１アーム(50)に付勢されていることにより、上記の両作用及び効果を相乗した機械的な硬さを感じることない良好な体感のマッサージを受けることができる。
なお、揉みマッサージや叩きマッサージ等を施しつつ、昇降手段(20)によりマッサージユニット(30)を上下に昇降させることにより、広い範囲に亘ってマッサージを施すこともできる。
【００３４】
図１１は、本発明の異なる実施例を示す施療指(40)(40)の拡大図である。上記実施例では、レバー(60)とアーム(５)をトーションバネ(47)によって付勢しているが、本実施例では、レバー(60)が回動したときに、アーム(５)とレバー(60)が対向する面に制動突起(110)を設けている。トーションバネ(47)等のバネ付勢を不要としたことによって、施療指(40)(40)の構造を簡略化できる利点がある。
【００３５】
制動突起(110)は、アーム(５)又はレバー(60)の一方に設けることが望ましい。例えば、レバー(60)の側面に制動突起(110)を設けた場合、揉みマッサージや叩きマッサージの際に、レバー(60)がアーム(５)に対して回転しようとすると、制動突起(110)がアーム(５)の側面を摺接しながら移動して抵抗となり、レバー(60)の回転に負荷(トルク)を発生させ、レバー(60)がアーム(５)に対して自由に回動することを阻止する。
これにより、適度な強さで揉み玉(41)(42)を被施療者の患部に当てることができる。
【００３６】
本実施例においては、レバー(60)は、無負荷の状態では、アーム(５)に対して任意の位置で停止し、上記の実施例のようにバネ力によって元の状態には復帰しないが、マッサージを行っているときには、被施療者の患部に揉み玉(41)(42)が当たるので、施療には問題はない。
【００３７】
図１２は、取付板(93)の展開図である。取付板(93)は、ウォームホイール(75)が取り付けられた揉み軸(72)の貫通する軸孔(96)と、該軸孔(96)の中心を通る仮想線Ａに対して平行な仮想線Ｂ上にウォーム軸(76a)を取りつける軸孔(96a)(96b)を２つ開設したものであり、軸孔(96)(96a)(96b)を一回で打ち抜き、打ち抜き後に点線Ｃから立ち上がるように垂直に曲げることにより、図１３に示すように、ウォームホイール(75)とウォーム(76)の軸間距離を一定に保持することができる。軸孔(96a)(96b)は、ウォームホイール(75)とウォーム(76)の遊びが極力小さくなるように開設することが望ましい。
なお、叩き軸(82)が貫通する軸孔(96c)も同時に打ち抜くことができる。
このように、ウォームホイール(75)とウォーム(76)の軸間距離を遊びが小さくなった状態で一定にできたことにより、バックラッシュを防ぐことができ、歯車特有の騒音の発生を抑えることができる。
取付板(93)を曲げ加工しただけでは、十分な強度を得ることができない場合には、図１２に示すように、ウォーム(76)のギアボックス(95)となる金属板部分に補強材(99)を取り付けるための耳片(97)(97)を形成し、図３や図１３に示すように、補強材(99)をネジ止めすればよい。これにより、ギアボックス(95)の補強を図ると共に、形状変化を防止できる。
【００３８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【産業上の利用可能性】
【００３９】
本発明は、機械的な硬さを感じることない良好な体感のマッサージを受けることができるマッサージ機として有用である。
【図面の簡単な説明】
【００４０】
【図１】本発明のマッサージ機の断面図である。
【図２】マッサージユニットを斜め前方から見た斜視図である。
【図３】マッサージユニットを斜め後方から見た斜視図である。
【図４】マッサージユニットを斜め後方から見た斜視図であって、叩き手段の一部とギアボックスの補強板等を一部省略して示している。
【図５】施療指の斜視図である。
【図６】施療指の断面図である。
【図７】第１アームを内側から見た斜視図である。
【図８】第１アームを外側から見た斜視図である。
【図９】第２アームを内側から見た斜視図である。
【図１０】第２アームを外側から見た斜視図である。
【図１１】施療指の異なる実施例を示す斜視図である。
【図１２】ギアボックスを形成する取付板の展開図である。
【図１３】ギアボックス周辺の拡大図である。
【符号の説明】
【００４１】
(10)  マッサージ機
(30)  マッサージユニット
(40)  施療指
(41)  揉み玉
(42)  揉み玉
(47)  トーションバネ
(48)  巻回部
(５)  アーム
(50)  第１アーム
(53)  環状凹部
(57)  第２アーム
(60)  レバー
(70)  揉み手段
(80)  叩き手段
【図１】
2006230854.tif 000003
【図２】
2006230854.tif 000004
【図３】
2006230854.tif 000005
【図４】
2006230854.tif 000006
【図５】
2006230854.tif 000007
【図６】
2006230854.tif 000008
【図７】
2006230854.tif 000009
【図８】
2006230854.tif 000010
【図９】
2006230854.tif 000011
【図１０】
2006230854.tif 000012
【図１１】
2006230854.tif 000013
【図１２】
2006230854.tif 000014
【図１３】
2006230854.tif 000015